(57)【特許請求の範囲】
【請求項１】
開口を形成された壁体を有するベース部材と、
差し込み式の接続具を保持し、前記接続具を前記壁体の背面側に収納する収納位置と、前記接続具に接続対象物を差し込むべき使用位置との間を、前記使用位置にある前記接続具に接続対象物を差し込む方向に対して直交する回転軸線周りに回転可能に前記ベース部材に支持されたホルダ部材とを有し、
前記ホルダ部材は、前記収納位置にあるときに前記開口を閉じ且つ前記使用位置にあるときに前記開口を開くリッド壁部および前記使用位置において前記ベース部材の一部と衝当し、前記使用位置を超えて回動することを禁止する衝当部を有し、
前記接続具は、前記リッド壁部の背面側にあって前記ホルダ部材が前記使用位置にあるときには前記開口から前方に露呈するように配置され、
前記回転軸線は、前記ホルダ部材の中間部にあり、前記ホルダ部材が前記使用位置にあるとき、前記接続具に接続対象物を差し込む力が前記ホルダ部材を前記使用位置に向かうトルクとして前記ホルダ部材に作用するように、前記接続対象物を差し込む方向の力の作用線に対してオフセットしている収納型接続装置。
【請求項２】
前記ホルダ部材と前記ベース部材には前記ホルダ部材を前記使用位置に係脱可能に係止する使用位置係止部が設けられている請求項１に記載の収納型接続装置。
【請求項３】
前記ホルダ部材と前記ベース部材には前記ホルダ部材を前記収納位置に係脱可能に係止する収納位置係止部が設けられている請求項１または２に記載の収納型接続装置。
【請求項４】
前記ベース部材は当該ベース部材の開口より小さい開口を有するパネルの裏面側に配置されるものであり、
前記ホルダ部材は、前記使用位置において、当該ホルダ部材と前記パネルの開口の縁部との間にできる間隙を閉じる遮蔽壁部を有する請求項１から３の何れか一項に記載の収納型接続装置。
【発明の詳細な説明】
【技術分野】
【０００１】
本発明は、収納型接続装置に関し、更に詳細には、コネクタやソケット・プラグ等の接続具を用いて電気配線やガス配管等の接続を行う接続装置であって、接続具が収納可能で、壁面や床面に埋め込み配置される収納型接続装置に関するものである。
【背景技術】
【０００２】
収納型接続装置として、相手側コネクタとの接続部が外部に露呈しない収納位置と、前記接続部が外部に露呈して相手側コネクタとの接続が行われ得る使用位置との間にコネクタが固定部材に回動可能に取り付けられ、ばねのばね力によって前記コネクタが前記収納位置に向けて付勢され、非使用時には防塵等のために前記コネクタが前記収納位置に位置し、使用時には相手側コネクタに特別に設けられた押圧棒によって前記コネクタが押されることによりばね力に抗して前記使用位置に回動するように構成されたものが知られている（特許文献１）。
【０００３】
また、リッド開閉型の接続装置として、接続対象物との接続口部分に開閉可能なリッドが設けられ、非使用時には防塵や外観美のためにリッドによって接続口部分を塞ぎ、使用時にはリッドが開けられるように構成されたコネクタやソケット・プラグ（コンセント）が知られている（特許文献２）。また、合成樹脂製のリッドが薄肉ヒンジによって開閉可能になっているリッド開閉型の接続装置が知られている。
【先行技術文献】
【特許文献】
【０００４】
【特許文献１】特開２００８−１９２５１６号公報
【特許文献２】特開平１１−２９４６６９号公報
【発明の概要】
【発明が解決しようとする課題】
【０００５】
従来の収納型接続装置は、相手側コネクタに押圧棒を設ける必要があり、汎用コネクタの使用を妨げる。また、コネクタが使用位置にあるとき、コネクタの接続部に相手側コネクタを差し込む力によってコネクタが収納位置に戻らないよう、押圧棒によってコネクタを押さえ込まなくてはならない。
【０００６】
従来のリッド開閉型の接続装置は、リッドの開閉操作が煩雑なものになったり、リッドを開位置に保持できなかったりし、操作性が悪い。
【０００７】
本発明が解決しようとする課題は、収納型接続装置において汎用のコネクタやソケット・プラグの使用のもとに、収納型接続装置の操作性を改善することである。
【課題を解決するための手段】
【０００８】
本発明による収納型接続装置は、開口（１２）を形成された壁体（１４）を有するベース部材（１０）と、接続具（９０）を保持し前記接続具（６０）を前記壁体（１４）の背面側に収納する収納位置と、前記接続具（９０）に接続対象物（９６）を差し込むべき使用位置との間を前記使用位置にある前記接続具（９０）に接続対象物（９６）を差し込む方向に対して直交する回転軸線（Ｘ）周りに回転可能に前記ベース部材（１０）に支持されたホルダ部材（４０）とを有し、前記ホルダ部材（４０）は、前記使用位置にあるときには、前記接続具（９０）を前記開口（１２）から露呈し、前記収納位置にあるときには、前記開口（１２）を閉じるように構成され、前記ホルダ部材（４０）は、前記収納位置から前記使用位置に向かう回転運動の限度を定めるべく、前記ベース部材（１０）の一部（１８Ａ）と衝当する衝当部（６０）を有し、前記ホルダ部材（４０）が前記使用位置にあるとき、前記接続具（９０）に接続対象物（９６）を差し込む力が前記ホルダ部材（４０）を前記使用位置に向かうトルクとして前記ホルダ部材（４０）に作用するように、前記接続対象物（９６）を差し込む方向の力の作用線（Ｆ）に対して前記回転軸線（Ｘ）がオフセットしている。
【０００９】
この構成によれば、ホルダ部材（４０）の回転軸線（Ｘ）がホルダ部材（４０）に設置された接続具（９０）に接続対象物（９６）を差し込む方向の力の作用線（Ｆ）に対してオフセットしていることにより、ホルダ部材（４０）に接続対象物（９６）を差し込む際に、その差し込み力は、ホルダ部材（４０）の衝当部（６０）をベース部材（１０）の一部（１８Ａ）に突き当てる方向に作用するので、ホルダ部材（４０）が使用位置にある状態が安定して保たれる。これにより、接続具（９０）に接続対象物（９６）を差し込む操作が、片手で、操作性よく、円滑且つ確実に行われ得るようになる。
【００１０】
本発明による収納型接続装置は、好ましくは、更に、前記ホルダ部材（４０）と前記ベース部材（１０）には前記ホルダ部材（４０）を前記使用位置に係脱可能に係止する使用位置係止部が設けられている。
【００１１】
この構成によれば、使用位置においてホルダ部材（４０）が振動等によってぐらつくことがなく、接続具（９０）に対する接続対象物（９６）の接続状態がぐらつきによって不安定になることが回避される。
【００１２】
本発明による収納型接続装置は、好ましくは、前記ホルダ部材（４０）と前記ベース部材（１０）には前記ホルダ部材（４０）を前記収納位置に係脱可能に係止する収納位置係止部が設けられている。
【００１３】
この構成によれば、収納位置においてホルダ部材（４０）が走行等によってぐらつくことがなく、見栄えがよいものになる。
【００１４】
本発明による収納型接続装置は、好ましくは、前記ベース部材（１０）は当該ベース部材（１０）の開口（１２）より小さい開口（１０２）を有するパネル（１００）の裏面側に配置されるものであり、更に、前記ホルダ部材（４０）は、前記使用位置において、当該ホルダ部材（４０）と前記パネル（１００）の開口（１０２）の縁部との間にできる間隙を閉じる遮蔽壁部（６６）を有する。
【００１５】
この構成によれば、遮蔽壁部（６６）によって、使用位置において、ホルダ部材（４０）とパネル（１００）の開口（１０２）の縁部との間にできる間隙が閉じられ、使用状態における見栄えがよいものになる。
【発明の効果】
【００１６】
本発明による収納型接続装置は、ホルダ部材が使用位置にあるとき、ホルダ部材の接続具に接続対象物を差し込む方向の力の作用線に対してホルダ部材の回転軸線がオフセットしていることにより、接続具に接続対象物を差し込む力がホルダ部材を使用位置に向かうトルクとしてホルダ部材に作用するので、ホルダ部材に接続対象物を差し込む操作の際に、その差し込み力は、ホルダ部材の衝当部をベース部材の一部に突き当てる方向に作用し、ホルダ部材が使用位置にある状態が安定して保たれる。これにより、汎用の接続具の使用のもとに、収納型接続装置の操作性が改善される。
【図面の簡単な説明】
【００１７】
【図１】本発明による収納型接続装置を自動車のインストルメントパネルに設置した実施例を示す斜視図であり、（Ａ）は収納状態を、（Ｂ）は収納状態と使用状態の中間状態を、（Ｃ）は使用状態を各々示している。
【図２】本実施例による収納型接続装置の断面図（図１（Ａ）の線II-II断面相当）であり、（Ａ）は収納状態を、（Ｂ）は使用状態を各々示している。
【図３】本実施例による収納型接続装置の収納状態を示す斜視図。
【図４】本実施例による収納型接続装置に用いられるベース部材を前側から見た斜視図。
【図５】本実施例による収納型接続装置に用いられるベース部材を後側から見た斜視図。
【図６】本実施例による収納型接続装置に用いられるベース部材の背面図。
【図７】図６の線VII−VIIに沿った断面図。
【図８】本実施例による収納型接続装置に用いられるホルダ部材を前側から見た斜視図。
【図９】本実施例による収納型接続装置に用いられるホルダ部材を後側から見た斜視図。
【図１０】本実施例による収納型接続装置に用いられるホルダ部材の側面図。
【図１１】本実施例による収納型接続装置に用いられるホルダ部材の背面図。
【図１２】図１１の線XII−XIIに沿った断面図。
【発明を実施するための形態】
【００１８】
本発明による収納型接続装置の一つの実施例を、図１〜図１２を参照して説明する。本実施例は、自動車のインストルメントパネル１００に設置される車載用のＵＳＢコネクタに適用したものである。本実施例では、収納型接続装置は竪面部に設置されることにより、説明の便宜上、装置の操作面側を前側とし、前後、左右、上下の各方向を、各図に示されているように定義する。
【００１９】
本実施例による収納型接続装置は、図２、３に示されているように、樹脂成形品によるベース部材１０と、ホルダ部材４０とを有する。
【００２０】
ベース部材１０は、図２〜図７に示されているように、縦長四角形の開口１２を形成された枠状の壁体１４と、開口１２の左右側縁と上縁とに沿って延在して壁体１４の背面（後面）より後方に突出した左右の側壁部１６と上壁部１８とを一体に有する。上壁部１８は左右方向の中央部が上方に突出した段部１８Ｂを有している。段部１８Ｂには、図２に示されているように、ベース部材１０をインストルメントパネル１００の背面側にねじ止めするための取付片２０が段部１８Ｂより上方に延出した形態で一体成形されている。
【００２１】
ベース部材１０は、図２に示されているように、取付片２０のねじ止めによって壁体１４の前面がインストルメントパネル１００の背面に接合するようにインストルメントパネル１００に固定される。インストルメントパネル１００には壁体１４の開口１２と重なり合う縦長四角形の開口１０２が形成されている。開口１０２の左右寸法は開口１２の左右寸法に同じであるが、上下寸法は開口１２の上下寸法より小さい。
【００２２】
左右の側壁部１６には、開口１２を左右方向に横切る一つの水平軸線Ｘａ（図６参照）上に丸孔による軸受孔２２が貫通形成されている。
【００２３】
上壁部１８の段部１８Ｂの下方には、壁体１４の裏面より後方に水平に延出する第１の弾性爪片２４が一体成形されている。第１の弾性爪片２４は前端のみを壁体１４の裏面に固定された片持ち片であって上下方向に弾性変形可能である。第１の弾性爪片２４の遊端（後端）には、図２、図５、図７に示されているように、下方に突出した係止突起部２６が一体成形されている。係止突起部２６は前面が起立した係止壁面２６Ａになっている。
【００２４】
左右の側壁部１６の下側部分には、図４〜図７に示されているように、側壁部１６に互いに上下に離れて設けられた二つのスリット２８によって第２の弾性爪片３０が画成されている。第２の弾性爪片３０は壁体１４の裏面より後方に水平に延在する片持ち片であって左右方向に弾性変形可能である。第２の弾性爪片３０の遊端（後端）には、内方に突出した係止突起部３２が一体成形されている。係止突起部３２は前面が起立した係止壁面３２Ａになっている。
【００２５】
ホルダ部材４０は、図２、図３、図８〜図１２に示されているように、両端開口の四角筒状をしたホルダ主部４２を有する。ホルダ主部４２は筒内側がコネクタ配置部４４になっていている。コネクタ配置部４４には、図２に示されているように、接続具であるＵＳＢ雌側コネクタ９０が固定配置されている。
【００２６】
ＵＳＢ雌側コネクタ９０は、ＵＳＢ規格による汎用品であり、一端部が接続対象物であるＵＳＢ雄側コネクタ９６（図２参照）を差し込まれる差込口（接続端部）９２となっており、差込口９２がホルダ主部４２の一方の開口端４４Ａより外方に露呈する配置になっている。ＵＳＢ雄側コネクタ９６もＵＳＢ規格による汎用品である。ＵＳＢ雌側コネクタ９０の横幅（左右寸法）はコネクタ配置部４４の横幅（左右寸法）に略等しく、ＵＳＢ雌側コネクタ９０の縦寸法（図２（Ｂ）に示されている使用状態での上下寸法）はコネクタ配置部４４の縦寸法より小さい。この縦寸法の設定のもとに、ＵＳＢ雌側コネクタ９０はコネクタ配置部４４において後述するリッド壁部４６の背面側に偏った配置になっている。なお、ホルダ主部４２の他方の開口端４４ＢはＵＳＢ雌側コネクタ９０に接続されたフレキシブルケーブル９４を通すための開口になっている。
【００２７】
図２（Ａ）に示されている収納状態で前側に起立して存在するホルダ主部４２の前壁部は、ベース部材１０の開口１２より少し小さく、インストルメントパネル１００の開口１０２と同じ大きさの四角形状のリッド壁部４６をなしている。リッド壁部４６の下部には前方に突出したプッシュ用つまみ部４８が形成されている。
【００２８】
ホルダ主部４２の左右の側壁部５０の外壁面には一つの水平軸線Ｘｂ（図１１参照）上に円柱状の軸部５２が外方へ向けて突出形成されている。左右の軸部５２はベース部材１０の左右の軸受孔２２に各々回転可能に嵌合する（図３参照）。この嵌合により、水平軸線ＸａとＸｂとが重畳し、ホルダ部材４０は、重畳した水平軸線Ｘａ、Ｘｂを一つの回転軸線Ｘ（図２、図３参照）として当該回転軸線Ｘ周りにベース部材１０によって回転可能に支持される。回転軸線Ｘは、ホルダ部材４０が後述する使用位置にある状態で、ＵＳＢ雌側コネクタ９０にＵＳＢ雄側コネクタ９６を差し込む方向（前後方向）に対して直交する方向に延在する回転軸線である。
【００２９】
ホルダ部材４０は、図２（Ａ）に示されているように、リッド壁部４６が壁体１４と平行に延在する起立姿勢となってリッド壁部４６によってベース部材１０の開口１２を実質的に閉じ、コネクタ配置部４４のＵＳＢ雌側コネクタ９０をベース部材１０の壁体１４の背面側に位置させる収納位置と、図２（Ｂ）に示されているように、上述の収納位置より回転軸線Ｘ周りに図２で見て時計廻り方向に９０度回転してリッド壁部４６が開口１２を閉じる位置より離れて水平姿勢となり、コネクタ配置部４４に設置されたＵＳＢ雌側コネクタ９０の差込口９２が開口１２より外方（前方）に露呈し、接続相手側のＵＳＢ雄側コネクタ９６を差し込むべき使用位置との間に回動可能になっている。
【００３０】
なお、収納位置では、リッド壁部４６は、図１（Ａ）、図２（Ａ）に示されているように、インストルメントパネル１００の開口１０２に嵌り込み、プッシュ用つまみ部４８を除く前面がインストルメントパネル１００の前面と面一となって開口１０２を完全に閉じる設定になっている。リッド壁部４６は、開口１０２を完全に閉じる大きさであれば、前述したように、ベース部材１０の開口１２より少し小さくてよく、収納位置においてベース部材１０の開口１２を完全に閉じるものでなくてよい。このことは、ベース部材１０の開口１２の大きさとインストルメントパネル１００の開口１０２の大きさにより決まる。
【００３１】
ホルダ主部４２の後壁部５４には平板状のストッパ片５６が突出形成されている。ストッパ片５６は、リッド壁部４６とは９０度異なる方向に延在していて、先端部中央に凹部５８を形成されている。凹部５８の左右両側部分は衝当部６０になっている。衝当部６０は、前述の使用位置において前面６０Ａ（使用位置での前面）をもって上壁部１８の先端面（後面）１８Ａに衝当することにより、ホルダ部材４０が収納位置から使用位置に向かう回転運動の限度を定め、使用位置を超えてホルダ部材４０が図２で見て時計廻り方向に回動することを禁止する。
【００３２】
凹部５８の底部は、使用位置において第１の弾性爪片２４の係止突起部２６と係脱可能に係合する第１の係止部６２になっている。第１の係止部６２は、ホルダ部材４０が図２で見て時計廻り方向の回動によって収納位置より使用位置に位置することにより、第１の弾性爪片２４を弾性変形させつつ係止突起部２６を乗り越える。これにより、第１の係止部６２の後面６２Ａ（使用位置での後面）が係止突起部２６の係止壁面２６Ａに当接することにより、ホルダ部材４０が使用位置より収納位置へ自由に戻ることを禁止する。この状態をホルダ部材４０が使用位置に係止された状態と云う。
【００３３】
使用位置においてホルダ部材４０に、図２で見て反時計廻り方向の回動力、つまり、ホルダ部材４０を収納位置に戻す方向の力が、所定値以上作用すると、第１の係止部６２が第１の弾性爪片２４を弾性変形させつつ係止突起部２６を逆方向に乗り越え、第１の係止部６２の後面６２Ａが係止壁面２７との当接より離れる。これにより、使用位置におけるホルダ部材４０の係止が解除され、ホルダ部材４０は図２で見て反時計廻り方向に自由に回動できるようになる。
【００３４】
このようにして、係止突起部２６を有する第１の弾性爪片２４と第１の係止部６２とによって、ホルダ部材４０の回転操作だけで、ホルダ部材４０を使用位置に係脱可能に係止する使用位置係止部が構成されている。
【００３５】
ホルダ部材４０の左右の側壁部５０の外壁面には第２の係止部６４が突出形成されている。第２の係止部６４は後面（収納位置での後面）が起立した係止壁面６４Ａになっている。第２の係止部６４は、ホルダ部材４０が図２で見て反時計廻り方向の回動によって使用位置より収納位置に位置することにより、第２の弾性爪片３０を弾性変形させつつ係止突起部３２を乗り越え、係止壁面６４Ａが係止突起部３２の係止壁面３２Ａに当接することにより、ホルダ部材４０が収納位置より使用位置へ自由に戻ることを禁止する。この状態をホルダ部材４０が収納位置に係止された状態と云う。
【００３６】
収納位置においてホルダ部材４０に、図２で見て時計廻り方向の回動力、つまり、ホルダ部材４０を使用位置に回動させる方向の力が、所定値以上作用すると、第２の係止部６４が第２の弾性爪片３０を弾性変形させつつ係止突起部３２を逆方向に乗り越え、係止壁面６４Ａが係止壁面３２Ａとの当接より離れる。これにより、収納位置におけるホルダ部材４０の係止が解除され、ホルダ部材４０の回転操作だけで、ホルダ部材４０は図２で見て時計廻り方向の自由に回動できるようになる。
【００３７】
このようにして、係止突起部３２を有する第２の弾性爪片３０と第２の係止部６４とによって、ホルダ部材４０を収納位置に係脱可能に係止する収納位置係止部が構成されている。
【００３８】
ホルダ部材４０の後壁部５４には平板状の遮蔽壁部６６が突出形成されている。遮蔽壁部６６は、ストッパ片５６と平行な突起片であり、使用位置において、ホルダ部材４０の上部とインストルメントパネル１００の開口１０２の上縁部との間にできる間隙を閉じる。
【００３９】
なお、遮蔽壁部６６とストッパ片５６との間には、補強のために、当該両者を互いに接続するリブ６８が一体成形されている。
【００４０】
ホルダ部材４０が、図１（Ａ）に示されている収納位置にある状態において、ＵＳＢ雌側コネクタ９０を使用する際には、リッド壁部４６の下部にあるプッシュ用つまみ部４８を指先で押す。これにより、第２の弾性爪片３０の係止突起部３２と第２の係止部６４との係合が外れ、ホルダ部材４０が軸部５２を回転中心として回転軸線Ｘ周りに、図２で見て時計廻り方向に回転する。この回転によって、図１（Ｂ）に示されているように、ホルダ部材４０の上側がインストルメントパネル１００の開口１０２より前方に突出する。
【００４１】
次に、ホルダ部材４０が開口１０２より前方に突出した部分を、指先で押し下げるようにして、ホルダ部材４０の衝当部６０の前面６０Ａがベース部材１０の上壁部１８の先端面１８Ａに突き当たるまで、ホルダ部材４０を回転軸線Ｘ周りに同方向に回転させる。図２（Ｂ）に示されているように、衝当部６０の前面６０Ａが上壁部１８の先端面１８Ａに衝当し、ホルダ部材４０が使用位置に位置すると、第１の弾性爪片２４の係止突起部２６と第１の係止部６２とが係合し、ホルダ部材４０が使用位置に係止される。
【００４２】
この使用位置では、図１（Ｃ）に示されているコネクタ配置部４４に設置されているＵＳＢ雌側コネクタ９０の差込口９２が壁体１４の開口１２及びインストルメントパネル１００の開口１０２より前方に露呈し、差込口９２に接続相手のＵＳＢ雄側コネクタ９６を差し込める状態になる。
【００４３】
図２（Ｂ）に示されているように、ホルダ部材４０の回転軸線Ｘの配置位置とコネクタ配置部４４におけるＵＳＢ雌側コネクタ９０の取付位置との相対位置関係により、ホルダ部材４０が使用位置にある時には、ホルダ部材４０の回転軸線ＸがＵＳＢ雌側コネクタ９０の差込口９２にＵＳＢ雄側コネクタ９６を差し込む方向の力の作用線Ｆより上側に変位量ｅだけ偏倚した位置にある。
【００４４】
このように、ＵＳＢ雄側コネクタ９６を差し込む方向の力の作用線Ｆに対してホルダ部材４０の回転軸線Ｘがオフセットしていることにより、コネクタ配置部４４に取り付けられたＵＳＢ雌側コネクタ９０の差込口９２にＵＳＢ雄側コネクタ９６を差し込む力が、ホルダ部材４０を使用位置に向かうトルク（図２で見て時計廻り方向の力）としてホルダ部材４０に作用する。
【００４５】
これにより、ホルダ部材４０が使用位置にある状態において、ＵＳＢ雌側コネクタ９０の差込口９２にＵＳＢ雄側コネクタ９６を差し込む操作の際に、その差し込み力は、ホルダ部材４０の衝当部６０の前面６０Ａをベース部材１０の上壁部１８の先端面１８Ａに突き当てる方向に作用するので、ホルダ部材４０が使用位置にある状態が安定して保たれる。
【００４６】
したがって、ＵＳＢ雄側コネクタ９６の差し込み力によってホルダ部材４０が収納位置側に動いてコネクタ接続が行われ難くなる不具合が生じることがなく、ＵＳＢ雌側コネクタ９０の差込口９２に接続対象物を差し込む操作が、片手で、操作性よく、円滑且つ確実に行われ得るようになる。これにより、汎用のＵＳＢコネクタの使用のもとに、収納型接続装置の操作性が改善される。
【００４７】
ホルダ部材４０が使用位置にある状態では、図１（Ｃ）に示されているように、遮蔽壁部６６が、ホルダ部材４０の上部とインストルメントパネル１００の開口１０２の上縁部との間にできる間隙を閉じるから、使用位置において見栄えがよいものになる。
【００４８】
また、ホルダ部材４０が、使用位置において、第１の弾性爪片２４の係止突起部２６と第１の係止部６２との係合によって係止されることにより、走行振動等によってホルダ部材４０がぐらつくことがなく、ＵＳＢ雌側コネクタ９０とＵＳＢ雄側コネクタ９６との接続状態がぐらつきによって不安定になることが回避される。
【００４９】
ホルダ部材４０を使用位置より収納位置に戻す際には、ＵＳＢ雌側コネクタ９０の差込口９２よりＵＳＢ雄側コネクタ９６を引き抜き、ホルダ部材４０がインストルメントパネル１００の開口１０２より前方に突出している部分を引き上げるように回転させる。これにより、第１の弾性爪片２４の係止突起部２６と第１の係止部６２との係合が外れ、ホルダ部材４０が軸部５２を回転中心として回転軸線Ｘ周りに、図２で見て反時計廻り方向に回転し、もとの収納位置に戻に戻る。ホルダ部材４０が収納位置に位置すると、第２の弾性爪片３０の係止突起部３２と第２の係止部６４とが係合し、ホルダ部材４０が収納位置に係止される。
【００５０】
この係止状態では、収納位置においてホルダ部材４０が走行振動等によってぐらつくことがなく、しかもプッシュ用つまみ部４８を除くリッド壁部４６の前面がインストルメントパネル１００の前面と面一となって開口１０２を閉じる状態が保たれ、見栄えがよいものになる。
【００５１】
以上、本発明を、その好適形態の実施例について説明したが、当業者であれば容易に理解できるように、本発明はこのような実施例により限定されるものではなく、本発明の趣旨を逸脱しない範囲で適宜変更可能である。例えば、接続具は、ＵＳＢコネクタに限られることはなく、ＨＤＭＩ等の信号線ケーブルのコネクタ、電力ケーブルのコネクタやソケット・プラグ、都市ガス等の燃焼ガスのソケット・プラグであってもよい。何れのにおいても、規格品や汎用の接続具を使用することができる。使用位置係止部、収納位置係止部は、弾性爪式に限られることはなく、凹凸係合式等、ホルダ部材の回転だけで係脱する構造のものであればよい。また、本発明による収納型接続装置の設置場所は、自動車のインストメントパネルに限られることはなく、建物の壁面や床面に埋め込み配置されてもよい。また、上記実施例に示した構成要素は必ずしも全てが必須なものではなく、本発明の趣旨を逸脱しない限りにおいて適宜取捨選択することが可能である。
【符号の説明】
【００５２】
１０    ベース部材
１２    開口
１４    壁体
２２    軸受孔
２４    第１の弾性爪片
３０    第２の弾性爪片
４０    ホルダ部材
４２    ホルダ主部
４４    コネクタ配置部
４６    リッド壁部
５０    側壁部
５２    軸部
５６    ストッパ片
６０    衝当部
６２    第１の係止部
６４    第２の係止部
６６    遮蔽壁部
９０    ＵＳＢ雌側コネクタ
９２    差込口
９６    ＵＳＢ雄側コネクタ
１００  インストルメントパネル
【図１】
0005806597.tif 000002
【図２】
0005806597.tif 000003
【図３】
0005806597.tif 000004
【図４】
0005806597.tif 000005
【図５】
0005806597.tif 000006
【図６】
0005806597.tif 000007
【図７】
0005806597.tif 000008
【図８】
0005806597.tif 000009
【図９】
0005806597.tif 000010
【図１０】
0005806597.tif 000011
【図１１】
0005806597.tif 000012
【図１２】
0005806597.tif 000013